(57)【要約】【課題】ユーザによるメディアの取り出し性を良好に確保しつつメディアの保持精度を高めることができるメディアスタッカ及びそれを備えたメディア処理装置を提供する。【解決手段】底板１０１と、この底板１０１に立設された円筒部１０２とを有し、円筒部１０２内が複数の円板状のメディアを積層させて収容可能なメディア収容部１０３とされたメディアスタッカ１００において、互いに対向する位置に切欠部１０６，１０７を円筒部１０２に形成することにより、円筒部１０２を平面視円弧状の一対の枠体１０４，１０５とする。枠体１０４，１０５の内面に、底板１０１に対して端面１２１ａが垂直な複数のリブ１２１を周方向に間隔をあけて形成する。互いに隣り合うリブ１２１を、メディア収容部１０３の中心点Ｏを通る直線同士のなす角が９０°以下となるように配置する。【選択図】図９
2008097673.tif 000002
【特許請求の範囲】
【請求項１】
底板と、この底板に立設された円筒部とを有し、前記円筒部内が複数の円板状のメディアを積層させて収容可能なメディア収容部とされたメディアスタッカであって、
前記円筒部は、互いに対向する位置に切欠部を形成することにより、平面視円弧状の一対の枠体とされ、
前記枠体には、その内面に、前記底板に対して端面が垂直な複数のリブが周方向に間隔をあけて形成され、
互いに隣り合うリブは、前記メディア収容部の中心を通る直線同士のなす角が９０°以下とされていることを特徴とするメディアスタッカ。
【請求項２】
請求項１に記載のメディアスタッカであって、
前記リブは、その両側面が、前記枠体の端面と一致しない位置に形成されていることを特徴とするメディアスタッカ。
【請求項３】
請求項１または請求項２に記載のメディアスタッカであって、
前記枠体同士の間の少なくとも一方の前記切欠部には、前記枠体の下部近傍同士を連結する補強部が設けられていることを特徴とするメディアスタッカ。
【請求項４】
請求項１から３のいずれか１項に記載のメディアスタッカであって、
一側部側と、この一側部側の反対側である他側部側とが異なる平面形状とされていることを特徴とするメディアスタッカ。
【請求項５】
請求項４に記載のメディアスタッカであって、
一側部側を矩形状とし、他側部側を円弧状としたことを特徴とするメディアスタッカ。
【請求項６】
請求項１から５のいずれか１項に記載のメディアスタッカであって、
前記底板の裏面には、同一突出寸法の３つの脚部が周方向に間隔をあけて形成されていることを特徴とするメディアスタッカ。
【請求項７】
請求項６に記載のメディアスタッカであって、
前記底板の裏面には、前記脚部よりも突出寸法の小さい３つの設置脚が周方向へ間隔をあけて形成されていることを特徴とするメディアスタッカ。
【請求項８】
メディア保持部に収納されたメディアに対して各種処理を施すメディア処理装置であって、
請求項１から７のいずれか１項に記載のメディアスタッカが、前記メディア保持部に設けられたスタッカ収納部に着脱可能とされていることを特徴とするメディア処理装置。
【発明の詳細な説明】
【技術分野】
【０００１】
本発明は、ＣＤあるいはＤＶＤなどの円板状のメディアを収容するメディアスタッカ及びそれを備えたメディア処理装置に関する。
【背景技術】
【０００２】
近年、多数枚のブランクＣＤやＤＶＤなどのメディアにデータの書き込みを行うディスクダビング装置、データの書き込みとレーベル印刷を行ってメディアを制作して発行可能なＣＤ／ＤＶＤパブリッシャなどのメディア処理装置が用いられつつある。この種のメディア処理装置では、ＣＤやＤＶＤなどの円板状のメディアは、メディアスタッカに積層させて収容した状態にて取り扱われる。（例えば、非特許文献１参照）。
【非特許文献１】ＴＥＡＣ製品紹介ホームページ(http://www.tsc.teac.co.jp/02products/sys/cdrw1050/index.html)
【非特許文献２】ＰＲＩＭＥＲＡ製品紹介ホームページ（http://www.hoei.co.jp/japan/product/primera/bravo_pro.html）
【発明の開示】
【発明が解決しようとする課題】
【０００３】
このメディアスタッカは、底板に立設された円筒状のメディア収容部を有し、このメディア収容部にメディアを積層状態に収容する構造とされているが、メディア収容部を形成する円筒部は、射出成形時における金型からの抜き方向の関係から、上方へ向かって僅かに拡径する形状とされる。このため、メディア収容部は、上方へ向かって次第に広くなるため、メディアを収容した際に、上方側でのがたつきが大きくなる。
このため、この円筒部の内周に、周方向へ間隔をあけて複数のリブを下端から上端にわたって形成し、これらリブによってメディアの外周縁を保持している。
しかし、これらリブ同士の間隔が大きすぎると、メディアの保持精度が低下し、メディア処理装置のアクチュエータによるメディアの取り出しが良好に行われなくなるおそれがある。
しかも、ユーザによるメディア収容部からのメディアの取り出しの容易化を図るべく、円筒部の対向位置に切欠部を形成すると、メディア保持精度がさらに低下してしまう。
【０００４】
本発明は、上記事情に鑑みてなされたもので、ユーザによるメディアの取り出し性を良好に確保しつつメディアの保持精度を高めることができるメディアスタッカ及びそれを備えたメディア処理装置を提供することを目的としている。
【課題を解決するための手段】
【０００５】
上記目的を達成するために、本発明のメディアスタッカは、底板と、この底板に立設された円筒部とを有し、前記円筒部内が複数の円板状のメディアを積層させて収容可能なメディア収容部とされたメディアスタッカであって、前記円筒部は、互いに対向する位置に切欠部を形成することにより、平面視円弧状の一対の枠体とされ、前記枠体には、その内面に、前記底板に対して端面が垂直な複数のリブが周方向に間隔をあけて形成され、互いに隣り合うリブは、前記メディア収容部の中心を通る直線同士のなす角が９０°以下とされていることを特徴とする。
【０００６】
この構成のメディアスタッカによれば、対向位置に形成された切欠部にてメディア収容部内のメディアを両側から把持して容易に取り出すことができる。
しかも、メディア収容部内に収容するメディアの外周縁を、底板に対して垂直な端面を有する複数のリブによって確実かつ精度良く保持することができる。
特に、互いに隣り合うリブは、メディア収容部の中心を通る直線同士のなす角が９０°以下とされていることより、メディアの外周縁を周方向に略均等に保持することができ、保持精度を大幅に高めることができる。
したがって、メディア収容部のメディアを出し入れする各種装置のアクチュエータによるメディアの着脱を良好に行わせることができるとともに、アクチュエータの駆動制御の簡略化を図ることができる。
【０００７】
また、前記リブは、その両側面が、前記枠体の端面と一致しない位置に形成されていることが好ましい。
この構成によれば、リブの両側面が枠体の端面と一致していないので、射出成形によって成形した際に、樹脂をリブの成形箇所へ確実に回り込ませることができ、リブの成形精度を大幅に高めることができる。
【０００８】
さらに、前記枠体同士の間の少なくとも一方の前記切欠部には、前記枠体の下部近傍同士を連結する補強部が設けられていることが好ましい。
この構成によれば、枠体同士の間の少なくとも一方の切欠部にて、枠体の下部近傍同士を補強部によって連結させたので、対向する切欠部を円筒部に形成することによる強度の低下を極力抑えることができる。
【０００９】
また、一側部側と、この一側部側の反対側である他側部側とが異なる平面形状とされていることが好ましい。
この構成によれば、平面形状を確認することにより、メディアスタッカの向きを容易に把握することができる。これにより、例えば、各種装置へ装着する際に、容易に正しい向きに合わせて装着することができ、装着作業の円滑化を図ることができる。
【００１０】
さらに、一側部側を矩形状とし、他側部側を円弧状とすることが好ましい。
この構成によれば、メディアスタッカの向きを容易に把握することができるとともに、各種装置へ装着する際に、例えば、装着部に設けた両側壁によって矩形状の一側部側を案内させることができ、装着作業の円滑化を図ることができる。
【００１１】
また、前記底板の裏面に、同一突出寸法の３つの脚部が周方向に間隔をあけて形成することが好ましい。
この構成によれば、平面上に載置した際に、３つの脚部によって平面上に安定した状態に設置することができる。
【００１２】
また、前記底板の裏面に、前記脚部よりも突出寸法の小さい３つの設置脚を周方向へ間隔をあけて形成することが好ましい。
この構成によれば、例えば、各種装置の装着部へ装着した際に、設置脚を装着部の床に当接させる構造とすることにより、安定した設置状態を得ることができる。
【００１３】
また、本発明のメディア処理装置は、メディア保持部に収納されたメディアに対して各種処理を施すメディア処理装置であって、上記メディアスタッカが、前記メディア保持部に設けられたスタッカ収納部に着脱可能とされていることを特徴とする。
【００１４】
この構成のメディア処理装置によれば、メディアの取り出しを切欠部にて容易に行うことができるメディアスタッカを備えているので、処理作業を円滑に行うことができる。
しかも、メディアスタッカにてメディアを高精度にて保持させることができるので、メディア収容部のメディアを出し入れするアクチュエータによるメディアの着脱を良好に行うことができ、処理作業のさらなる円滑化を図ることができる。
【発明を実施するための最良の形態】
【００１５】
以下、本発明に係るメディアスタッカ及びそれを備えたメディア処理装置の実施形態について図面を参照して説明する。
図１はパブリッシャ（メディア処理装置）の外観斜視図、図２はパブリッシャのケースを外した状態の前方側の斜視図、図３はパブリッシャのケースを外した状態の後方側の斜視図、図４はパブリッシャに設置された記録装置部分の斜視図、図５はパブリッシャの内部概略構成図である。
【００１６】
パブリッシャ１は、例えばＣＤあるいはＤＶＤ等の円板状のメディアへのデータの書き込みやメディアのレーベル面への印刷を行うメディア処理装置であり、ほぼ直方体形状のケース２を備えている。このケース２の前面には、左右に開閉可能な開閉扉３、４が取り付けられている。ケース２の上側右端部には、表示ランプ、操作ボタンなどが配列された操作面５が設けられており、また、ケース２の下端には、メディア排出口６が設けられている。
【００１７】
正面視右側の開閉扉３は、閉じた状態にてロックされており、操作面５には、例えば、指紋センサなどの図示せぬ生体認証用の読み取り部が配置され、予め登録されている者のみが開閉できるようになっている。また、開閉扉３は、パブリッシャ１と通信可能に接続された後述する上位機器９７側（図５参照）からの指令によっても開閉可能となっている。
【００１８】
図２に示すように、正面視左側の開閉扉４は、レーベルプリンタ（記録装置）１１のインクカートリッジ１２の変換時に開閉するためのものであり、この開閉扉４を開けると、鉛直方向に配列された複数のカートリッジホルダ１３を有するカートリッジ装着部１４が露出するようになっている。
【００１９】
図３にも示すように、パブリッシャ１のケース２の内部には、データ書き込み処理が行われていない複数枚の未使用のブランクメディアＭＡをスタック可能なブランクメディア保管部２１と、作成済みメディアＭＢが保管される作成済みメディア保管部２２が同軸状態で上下に配置されている。なお、この作成済み保管部２２には、使用済みメディアＭＣを処分する場合に、この使用済みメディアＭＣがセットされる。
【００２０】
ブランクメディア保管部２１は、メディアを収容可能なメディア収容部１０３が形成されたメディアスタッカ１００を着脱可能に収納するスタッカ収納部２３を備えており、このスタッカ収納部２３に収納されたメディアスタッカ１００には、上側からブランクメディアを受け入れ同軸に積層した状態で収容可能とされている。
ブランクメディア保管部２１にブランクメディアＭＡを収納あるいは補充する作業は、開閉扉３を開け、メディアスタッカ１００を取り出すことにより、簡単に行うことが可能となっている。
【００２１】
下側の作成済みメディア保管部２２も同一構造となっており、メディアを収容可能なメディア収容部１０３が形成されたメディアスタッカ１００を着脱可能に収納するスタッカ収納部２３を備え、このスタッカ収納部２３に収納されたメディアスタッカ１００に、上側から作成済みメディアＭＢあるいは使用済みメディアＭＣを受け入れ同軸に積層した状態で収容可能とされている。
【００２２】
使用済みメディアＭＣを処分する場合には、開閉扉３を開けて、作成済みメディア保管部２２に、使用済みメディアＭＣを収容したメディアスタッカ１００をセットして処分動作を行うことが可能となっている。また、開閉扉３からは、作成済みメデイアＭＢ（すなわち、データの書き込み、及びレーベル面印刷が終了したメディア）を取り出すこともできる。
【００２３】
これらのブランクメディア保管部２１及び作成済みメディア保管部２２の後側には、メディア搬送機構３１が配置されている。メディア搬送機構３１は、ケース２に垂直に取り付けられているシャーシ３２と、このシャーシ３２の上下の水平支持板部３３，３４の間に垂直に架け渡されている垂直ガイド軸３５と、この垂直ガイド軸３５に取り付けたメディアキャリア３６とを備えている。メディアキャリア３６は、駆動モータ３７によって垂直ガイド軸３５に沿って昇降可能であるとともに、垂直ガイド軸３５を中心に左右に旋回可能である。メディア搬送機構３１によってメディア排出口６に搬送されてきたメディアは、このメディア排出口６から外部に取り出すことが可能である。
【００２４】
上下の保管部２１，２２及びメディア搬送機構３１の側方の部位には、上下に積層された２つのメディアドライブ４１が配置され、これらメディアドライブ４１の下側にレーベルプリンタ１１の後述するキャリッジ６２（図４参照）が移動可能に配置されている。
メディアドライブ４１は、メディアへのデータ書き込み位置とメディアの受け取り受け渡しを行うメディア受け渡し位置との間を移動可能なメディアトレイ４１ａをそれぞれ有している。
【００２５】
また、レーベルプリンタ１１は、メディアのレーベル面へのレーベル印刷可能な位置とメディアの受け取り受け渡しを行うメディア受け渡し位置との間を移動可能なメディアトレイ５１を有している。
【００２６】
図２及び図３では、上側のメディアドライブ４１のメディアトレイ４１ａが手前に引き出されてメディア受け渡し位置にある状態及び下側のレーベルプリンタ１１のメディアトレイ５１が奥側のレーベル印刷可能位置にある状態が示されている。また、レーベルプリンタ１１はインクジェットプリンタであり、インク供給機構７１として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２７】
ここで、ブランクメディア保管部２１及び作成済みメディア保管部２２に収納されたメディアスタッカ１００には、メディア搬送機構３１のメディアキャリア３６が昇降可能な後述する切欠部１０６が形成されている。また、これら上下のブランクメディア保管部２１と作成済みメディア保管部２２との間には、メディア搬送機構３１のメディアキャリア３６が水平に旋回して、作成済みメディア保管部２２の真上に位置できるように隙間が開いている。さらに、メディアトレイ４１ａをメディアドライブ４１に押し込むと、メディア搬送機構３１のメディアキャリア３６を下降させて、メディア受け渡し位置にあるメディアトレイ５１にアクセス可能となっている。したがって、メディアキャリア３６の昇降及び左右への旋回の組み合わせ動作によって、メディアを各部に搬送することが可能とされている。
【００２８】
メディアトレイ５１のメディア受け渡し位置の下方には、廃棄用メディアＭＤを保管するための廃棄用スタッカ５２が配置されており、この廃棄用スタッカ５２には、例えば３０枚程度の廃棄用メディアＭＤが保管可能とされている。メディアトレイ５１が廃棄用スタッカ５２の上方のメディア受け渡し位置からデータ書き込み位置へ退避した状態にてメディア搬送機構３１のメディアキャリア３６により、廃棄用メディアＭＤを廃棄用スタッカ５２に供給可能となっている。
【００２９】
まとめると、ＣＤあるいはＤＶＤからなるメディアは、ブランクメディア保管部２１、作成済みメディア保管部２２、廃棄用スタッカ５２、メディアドライブ４１のメディアトレイ４１ａ及びレーベルプリンタ１１のメディアトレイ５１間を、メディア搬送機構３１のメディアキャリア３６によって搬送される。
【００３０】
また、レーベルプリンタ１１の前方側には、メディア処分機構９２（図５参照）が取り付けられている。このメディア処分機構９２は、プランジャなどの駆動機構によって突起部を突出させることにより、後側あるいは前側に移動するメディアトレイ５１に搭載されたメディアに突起部を接触させ、メディアの記録面を機械的に破壊し、書き込み及び読み出しを不能な状態とする。
【００３１】
次に、レーベルプリンタ１１の構成について説明する。
図２から図４にも示すように、レーベルプリンタ１１はインクジェットヘッド６１を有するキャリッジ６２を備えており、このキャリッジ６２は、キャリッジガイド軸６３に沿って、水平方向に往復移動可能に支持されている。そして、このキャリッジ６２は、キャリッジガイド軸６３に沿って水平に架け渡したタイミングベルト６４と、これを駆動するためのキャリッジモータ６５とを備えている。
【００３２】
キャリッジ６２に搭載されているインクジェットヘッド６１は、そのノズル面が下向きとされており、インクジェットヘッド６１の下側位置を、前後方向に水平にメディアトレイ５１が往復移動可能となっている。メディアトレイ５１は、その右側の端が、前後方向に水平に延びるガイド軸６６によって支持され、その左側の端が、スライド可能な状態で、前後方向に水平に延びるガイドレール６７によって支持されている。このメディアトレイ５１の駆動機構も、前後方向に水平に架け渡した図示しないタイミングベルトと、これを駆動するためのトレイモータとを備えた構成となっている。
【００３３】
レーベルプリンタ１１は、インクカートリッジ１２が装着されるカートリッジ装着部１４を有するインク供給機構７１を備えている。このインク供給機構７１は、縦型構造を有しており、パブリッシャ１のベース７２上に立設されて鉛直方向に配設されている。このインク供給機構７１には、可撓性を有するインク供給チューブ７３の一端が接続されており、このインク供給チューブ７３の他端は、キャリッジ６２に接続されている。
【００３４】
そして、インク供給機構７１のインクカートリッジ１２のインクは、インク供給チューブ７３を介してキャリッジ６２に供給され、このキャリッジ６２に設けられた図示しないダンパユニット及び背圧調整ユニットを経てインクジェットヘッド６１に供給される。
なお、インク供給機構７１には、その上部に、加圧機構７４が設けられており、この加圧機構７４は、インクカートリッジ１２内を加圧し、インクカートリッジ１２内のインクパックに貯留しているインクを送り出す。
【００３５】
また、キャリッジ６２のホームポジション（図４に示す位置）における下方側には、インク吸引機構８１が設けられている。このインク吸引機構８１は、ホームポジションに配置されたキャリッジ６２の下面に露出するインクジェットヘッド６１のノズルを覆うキャップ８２と、インクジェットヘッド６２のヘッドクリーニング動作やインク充填動作によってキャップ８２に排出された廃インクを吸引する廃インク吸引ポンプ８３とを備えている。
【００３６】
そして、このインク吸引機構８１の廃インク吸引ポンプ８３によって吸引された廃インクは、チューブ８４を介して、廃インク吸収タンク８５へ送り込まれる。
この廃インク吸収タンク８５は、ケース８６内に後述する吸収材１０４を配設したもので、その上面は、複数の通気孔８７を有するカバー８８によって覆われている。
なお、廃インク吸引機構８１の下方には、廃インク吸収タンク８５の一部である廃インク受け部８９が設けられ、廃インク吸引機構８１から滴下した廃インクを受け止め、吸収材によって吸収するようになっている。
【００３７】
メディアトレイ５１は、矩形の板の上面に、メディアを載せるための円形の浅い凹部５１ａを備えている。また、この凹部５１ａの中心部には、同心円上において１２０度間隔に配置された図示せぬ３本の垂直爪を備えている。そのうち２本の垂直爪は半径方向に一体となって移動可能であり、残りの１本の垂直爪は、固定位置に配置されている。電磁ソレノイドなどの不図示の駆動機構によって２本の垂直爪が移動するようになっている。
【００３８】
メディアを、そのレーベルなどが印刷されるレーベル面を上向きにして、上から凹部５１ａに落とすと、メディアのセンターホールに３本の垂直爪が差し込まれた状態になる。この後に、２本の垂直爪を半径方向の外方に僅かに移動すると、これら３本の垂直爪がメディアのセンターホールの内周面に内側から押し付けられた状態になる。これにより、メディアがメディアトレイ５１に保持される。この状態で、図示せぬトレイモータを駆動して、メディアトレイ５１をガイド軸６６に沿って後ろ側に移動させ、インクジェットヘッド６１の印字領域内まで移動させることができる。この後は、インクジェットヘッド６１によって、メディアのレーベル面に所定の印刷を施すことができる。
【００３９】
次に、パブリッシャ１の内部構成について説明する。
図５に示すように、パブリッシャ１は、各部の制御を司る制御部９１を有し、パブリッシャ１内の各部間の動作制御を行う中央制御部となっている。具体的には、メディアドライブ４１、レーベルプリンタ１１、メディア搬送機構３１等の動作を制御する。
【００４０】
パブリッシャ１は、メディア作成のための機能に加えて、作成後に不要となった使用済みメディアＭＣを、データ書き込み、データ読み出し不能な状態に処分するためのメディア処分機構９２に加え、このメディア処分機構９２によって処分される使用済みメディアＭＣのレーベル面の印刷画像を読み取るための、例えば、ＣＣＤなどを有するラインセンサからなる画像センサ９３、読み取られたレーベル面の印刷画像を、メディア処分機構９２によるメディア処分履歴９４aとして記憶するための記憶部９４を備えている。
【００４１】
メディア処分機構９２は、前述したように、レーベルプリンタ１１におけるメディアトレイ５１の動きを利用して、使用済みメディアＭＣの記録面に機械的に傷を付けて、データの読み出し及び書き込みが不能の廃棄用メディアＭＤとするようになっている。
レーベル面の印刷画像の読取用の画像センサ９３は、例えば、メディア搬送機構３１に搭載されている。メディア搬送機構３１に把持された使用済みメディアＭＣを回転させ、このメディアＭＣのレーベル面に受光面が対峙する状態で、メディア半径方向に沿って配置されている画像センサ９３によって、レーベル面の全体の印刷画像を読み取るようになっている。この代わりに、メディア搬送機構３１に把持された使用済みメディアＭＣのレーベル面に沿って、その半径方向に配置されている画像センサ９３側を回転させて、レーベル面の全印刷画像を読み取るようにしても良い。
【００４２】
さらに、制御部９１には操作部９５が接続されており、操作部９５には認証用のパスワードなどを入力するためのテンキーなどの英数字キ一群、各種のファンクションキ一群、及び状態表示ランプなどの表示器群が配置されている。また、制御部９１は、通信用のインターフェース９６を介して、専用通信回線あるいは一般通信回線によって上位機器９７と接続されている。通常は、上位機器９７側から制御部９１に供給されるメディア作成指令、メディア処分指令などに基づき、メディア作成動作（データ書き込み動作、レーベル面印刷動作）、メディア処分履歴作成動作（レーベル面印刷画像読取動作）、メディア処分動作などが起動するようになっている。
【００４３】
次に、上記のパブリッシャ１におけるメディア保管部２１，２２に着脱されるメディアスタッカについて説明する。
図６はメディアスタッカの上部右斜め後方側から視た斜視図、図７はメディアスタッカの上部左側から視た斜視図、図８はメディアスタッカの上部右側から視た斜視図、図９はメディアスタッカの平面図、図１０はメディアスタッカの下部右斜め後方側から視た斜視図、図１１はメディアスタッカの下部左側から視た斜視図、図１２は他の形状の下部係止片を有するメディアスタッカの後方側から視た斜視図、図１３は他の形状の下部係止片を有するメディアスタッカの後方側から視た斜視図、図１４はメディアスタッカの収容円を示す平面図、図１５はメディアスタッカが収容されるスタッカ収納部を示す平面図である。
【００４４】
図６から図１１に示すように、メディアスタッカ１００は、射出成形によって一体成形した合成樹脂製であり、パブリッシャ１のメディア保管部２１，２２に設けられたスタッカ収納部２３に着脱される。
このメディアスタッカ１００は、底板１０１と、この底板１０１に立設された円筒部１０２とを有しており、円筒部１０２内が、ＣＤやＤＶＤなどの円板状のメディアを積層状態に収容可能なメディア収容部１０３とされている。
【００４５】
円筒部１０２は、互いに対向する平面視円弧状の一対の枠板１０４，１０５から構成されており、これら枠板１０４，１０５同士の間が、互いに対向する切欠部１０６，１０７とされている。
ここで、これら切欠部１０６，１０７は、メディアスタッカ１００のスタッカ収納部２３への挿入方向に対して所定角度だけ斜めの対角線上の位置に形成されている。
【００４６】
そして、このメディアスタッカ１００をスタッカ収納部２３へ装着した状態において、これら切欠部１０６，１０７のうちのスタッカ収納部２３への装着方向前方側（以下、前方側と称する）の隙間１０６にて、メディア搬送機構３１のメディアキャリア３６が昇降可能とされている。
また、メディアスタッカ１００のスタッカ収納部２３への装着方向後方側（以下、手前側と称する）は、底板１０１に形成された張り出し部１１０によって平面視矩形状とされている。そして、この張り出し部１１０によって切欠部１０７の下端が連結されて補強されている。
【００４７】
この張り出し部１１０には、後方側へ略水平に突出する下部係止片１１１が形成されている。また、円筒部１０２を構成する枠板１０４には、その上端に、下部係止片１１１と上下に対向する上部係止片１１２が略水平に突設されている。
そして、メディアスタッカ１００では、ユーザは、親指を上部係止片１１２に係止させ、その他の指を下部係止片１１１に係止させた状態にて、容易に把持して持ち運びが可能とされている。
なお、親指が係止される上部係止片１１２は、係止する親指の形状に対応して窪ませられている。
【００４８】
また、ユーザの指が接触する下部係止片１１１の裏面及び上部係止片１１２の上面には、それぞれ複数の突条１１１ａ，１１２ａが間隔をあけて形成されており、これら突条１１１ａ，１１２ａが滑り止めとなってユーザの指との係止力が高められるようになっている。
また、上部係止片１１２は、外方へ向かって次第に上方へ傾斜され、下部係止片１１１は、外方へ向かって次第に下方へ傾斜されており、これにより、ユーザの指が良好に係止されるようになっている。
【００４９】
また、上部係止片１１２は、その中心線がメディア収容部１０３の中心へ向くように形成されており、バランス良くメディアスタッカ１００を把持することができるようになっている。
【００５０】
また、枠体１０４，１０５の上端には、外周方向へ突出する補強リブ１０４ａ，１０５ａが形成されており、枠体１０４の補強リブ１０４ａは、上部係止片１１２に一体的に連結されている。
なお、下部係止片１１１の外縁に、下方へ突出する係止突条を形成したり、あるいは上部係止片１１２の外縁に、上方へ突出する係止突条を形成することにより、ユーザの指との係止力をさらに高めることができる。
【００５１】
また、図１２に示すように、下部係止片１１１の外縁に係止突条１１１ｂを形成し、この係止突条１１１ｂに、ユーザの指が配置される円弧状の凹部１１１ｃを形成しても良く、このようにすると、メディアスタッカ１００を把持する際における指の位置を容易に確認することができ、また、指を満遍なく係止させることができる。
なお、図１３に示すように、係止突条１１１ｂを形成しない場合は、下部係止片１１１の外縁に、ユーザの指の配置位置を示す円弧状の凹部１１１ｄを形成しても良い。
【００５２】
ここで、メディア収容部１０３を形成する円筒部１０２は、射出成形時における金型からの抜き方向の関係から、上方へ向かって僅かに拡径する形状とされる。このため、メディア収容部１０３は、上方へ向かって次第に広くなるため、メディアを収容した際に、上方側でのがたつきが大きくなる。
このため、この円筒部１０２の内周には、周方向へ間隔をあけて複数のリブ１２１が下端から上端にわたって形成されている。これらリブ１２１は、その内側の端面１２１ａが、底板１０１に対して垂直とされており、図１４に示すように、これらリブ１２１の端面１２１ａを結ぶ円が、メディアの外周よりも僅かに大きな円とされ、この円は、その内側にメディアが積層されて収容される収容円Ｃとされている。
したがって、メディア収容部１０３内に収容されたメディアは、その外周縁が、底板１０１に対して垂直の端面１２１ａを有する各リブ１２１によって保持され、上下にわたって精度良く保持される。
【００５３】
これらリブ１２１は、その両側面が、枠板１０４，１０５の端面と一致しない位置に形成されている。
また、周方向に隣り合うリブ１２１同士は、平面視にて、メディア収容部１０３の中心点Ｏを通る直線同士のなす角が９０°以下とされている。
【００５４】
底板１０１は、メディア収容部１０３に収容されるメディアが載置される円形の底面１０１ａを有しており、枠板１０４，１０５の切欠部１０６，１０７にて、その底面１０１ａの周縁１０１ｂ，１０１ｃが、メディア収容部１０３に収容するメディアよりも小さな半径の円弧状に形成されている。
また、張り出し部１１０が形成された底板１０１には、切欠部１０７における底面１０１ａの周縁１０１ｃの外周側に、凹部１０１ｄが形成されており、この凹部１０１ｄを構成する壁部の一部が底面１０１ａの円弧状の周縁１０１ｃに沿って形成されている。
【００５５】
また、上記メディアスタッカ１００には、底板１０１の裏面から同一突出寸法の３つの脚部１３１，１３２，１３３が形成されている。これら脚部１３１，１３２，１３３のうちの前方側の脚部１３１，１３２は、円柱状に形成されており、手前側の脚部１３３は、下方へ突設された板状に形成され、下部係止片１１１に沿って設けられている。
また、メディアスタッカ１００の底板１０１には、その中心位置に、メディアの中心に形成されたセンターホールよりも大径の逃げ孔１３４が形成されている。
さらに、メディアスタッカ１００の底板１０１の裏面には、同一突出寸法の円弧状の３つの設置脚１３５，１３６，１３７が周方向へ間隔をあけて形成されている。これら設置脚１３５，１３６，１３７は、脚部１３１，１３２，１３３よりも突出寸法が小さくされている。
【００５６】
上記メディアスタッカ１００が装着されるメディア保管部２１，２２のスタッカ収納部２３は、図１５に示すように、メディアスタッカ１００が載置される載置床１４１を有しており、この載置床１４１の両側及び奥側が壁部１４２によって囲われている。
また、載置床１４１には、メディアスタッカ１００の前方側の脚部１３１，１３２が嵌合可能な保持孔１４３，１４４が形成されている。これら保持孔１４３，１４４の一方の保持孔１４３には、脚部１３１の嵌合状態を検出することにより、メディアスタッカ１００がスタッカ収納部へ装着されたか否かを検出する図示しないスタッカ検出センサが設けられている。
【００５７】
また、載置床１４１には、メディアの中心の孔部よりも大径の逃げ孔１４５が形成されており、スタッカ収納部２３にメディアスタッカ１００を装着した際に、メディアスタッカ１００の逃げ孔１３４と連通される。
【００５８】
次に、スタッカ収納部２３へメディアスタッカ１００を着脱する場合について説明する。
なお、ここでは、パブリッシャ１へブランクメディアＭＡを補充する場合及び作成済みメディアＭＢを取り出す場合を例にとって説明する。
【００５９】
（スタッカ収納部への装着）
ブランクメディアＭＡをパブリッシャ１へ補充すべく、スタッカ収納部２３へメディアスタッカ１００を装着する場合は、まず、メディアスタッカ１００のメディア収容部１０３内に、所定枚数のブランクメディアＭＡを入れる。
このようにすると、これらブランクメディアＭＡがメディアスタッカ１００のメディア収容部１０３内における各リブ１２１の内側の端面１２１ａを結ぶ円からなる収容円Ｃ内に、積層された状態に収容される。
【００６０】
次に、ブランクメディアＭＡを収容させたメディアスタッカ１００の上部係止片１１２に親指を係止させるとともに下部係止片１１１に他の指を係止させることにより、メディアスタッカ１００を把持する。
次いで、このメディアスタッカ１００を、スタッカ収納部２３へパブリッシャ１の前面側から載置床１４１に載置させて挿入する。
このとき、ユーザは、メディアスタッカ１００の形状から、張り出し部１１０を形成することにより矩形状とされた側が手前側であることを容易に認識することができ、スタッカ収納部２３への挿入方向を容易に把握することができる。
【００６１】
また、スタッカ収納部２３への挿入時には、メディアスタッカ１００は、矩形状の張り出し部１１０がスタッカ収納部２３の両側の壁部１４２に摺接することによりガイドされるので、スタッカ収納部２３へ円滑に挿入することができる。
そして、メディアスタッカ１００をスタッカ収納部２３の奥まで差し込むと、メディアスタッカ１００の前方側の脚部１３１，１３２が載置床１４１の保持孔１４３，１４４にそれぞれ嵌合し、メディアスタッカ１００側の逃げ孔１３４とスタッカ収納部２３側の逃げ孔１４５とが互いに連通した状態に位置決めされる。
このようにして、メディアスタッカ１００がスタッカ収納部２３に装着されると、保持孔１４３に脚部１３１が嵌合することにより、スタッカ検出センサによってメディアスタッカ１００のスタッカ収納部２３への装着が確認される。
また、このとき、各設置脚１３５，１３６，１３７が載置床１４１の上面に当接することにより、メディアスタッカ１００が載置床１４１上に安定した状態にて設置される。
【００６２】
（スタッカ収納部からの取り出し）
作成済みメディアＭＢをパブリッシャ１から取り出すべく、スタッカ収納部２３からメディアスタッカ１００を取り外す場合は、まず、パブリッシャ１の開閉扉３を開き、取り出すメディアスタッカ１００の上部係止片１１２に親指を係止させるとともに下部係止片１１１に他の指を係止させることにより、メディアスタッカ１００を把持する。
【００６３】
次いで、このメディアスタッカ１００を、少し持ち上げてメディアスタッカ１００の前方側の脚部１３１，１３２を載置床１４１の保持孔１４３，１４４から外し、その後、手前に引き出す。
このようにすると、メディアスタッカ１００がスタッカ収納部２３から取り外され、また、保持孔１４３から脚部１３１が外されることにより、スタッカ検出センサによってスタッカ収納部２３からのメディアスタッカ１００の取り出しが確認される。
【００６４】
その後、スタッカ収納部２３から取り外したメディアスタッカ１００を平面上に載置し、このメディアスタッカ１００のメディア収容部１０３から作成済みメディアＭＢを取り出す。
作成済みメディアＭＢを取り出す場合には、ユーザは、切欠部１０６，１０７にて、上方側から作成済みメディアＭＢを把持しながら上方へ引き上げる。このとき、底板１０１の底面１０１ａの円弧状の周縁１０１ｂ，１０１ｃから作成済みメディアＭＢの外周縁が僅かに突出していることより、ユーザは、容易に最下部の作成済みメディアＭＢの外周縁を指に係止させることができ、積層状態の複数の作成済みメディアＭＢを一括してメディア収容部１０３から取り出すことができる。
【００６５】
以上、説明したように、上記実施形態に係るメディアスタッカによれば、円筒部１０２の互いに対向する位置に切欠部１０６，１０７を形成することにより、円筒部１０２を平面視円弧状の一対の枠体１０４，１０５としたので、対向位置に形成された切欠部１０６，１０７にてメディア収容部１０３内のメディアを両側から把持して容易に取り出すことができる。
【００６６】
また、枠体１０４，１０５の内面に、底板１０１に対して端面１２１ａが垂直な複数のリブ１２１を周方向に間隔をあけて形成したので、メディア収容部１０３内に収容するメディアの外周縁を、複数のリブ１２１によって確実かつ精度良く保持することができる。
特に、互いに隣り合うリブ１２１が、メディア収容部１０３の中心点Ｏを通る直線同士のなす角が９０°以下とされていることより、メディアの外周縁を周方向に略均等に保持することができ、保持精度を大幅に高めることができる。
【００６７】
したがって、メディア収容部１０３のメディアを出し入れするアクチュエータであるパブリッシャ１のメディアキャリア３６によるメディアの着脱を良好に行わせることができるとともに、メディアキャリア３６の駆動制御の簡略化を図ることができる。
【００６８】
そして、上記メディアスタッカ１００を備えたメディア処理装置であるパブリッシャ１によれば、メディアの取り出しを切欠部１０６，１０７にて容易に行うことができるメディアスタッカ１００を備えているので、処理作業を円滑に行うことができる。
しかも、メディアスタッカ１００にてメディアを高精度にて保持させることができるので、メディア収容部１０３のメディアを出し入れするメディアキャリア３６によるメディアの着脱を良好に行うことができ、処理作業のさらなる円滑化を図ることができる。
【００６９】
また、リブ１２１の両側面が枠体１０４，１０５の端面と一致していないので、射出成形によって成形した際に、樹脂をリブ１２１の成形箇所へ確実に回り込ませることができ、リブ１２１の成形精度を大幅に高めることができる。
【００７０】
さらに、枠体１０４，１０５同士の間の少なくとも一方の切欠部１０７にて、枠体１０４，１０５の下部近傍同士を張り出し部１１０によって連結させたので、対向する切欠部１０６，１０７を円筒部１０２に形成することによる強度の低下を極力抑えることができる。
【００７１】
また、上記メディアスタッカ１００では、上部係止片１１２及び下部係止片１１１を有する一側部側を平面視矩形状とすることにより、この一側部側と、この一側部側の反対側である他側部側とを異なる平面形状としたので、平面形状を確認することにより、メディアスタッカ１００の向きを容易に把握することができる。これにより、パブリッシャ１のスタッカ収納部２３へ装着する際に、容易に正しい向きに合わせて装着することができ、装着作業の円滑化を図ることができる。
【００７２】
特に、一側部側を矩形状とし、他側部側を円弧状としたので、パブリッシャ１のスタッカ収納部２３へ装着する際に、スタッカ収納部２３を構成する両側の壁部１４２によって矩形状の一側部側を案内させることができ、装着作業の円滑化を図ることができる。
【００７３】
また、底板１０１の裏面に、同一突出寸法の３つの脚部１３１，１３２，１３３が周方向に間隔をあけて形成されているので、平面上に載置した際に、３つの脚部１３１，１３２，１３３によって平面上に安定した状態に設置することができる。
特に、下部係止片１１１の近傍の脚部１３３は、下方へ突設された板状に形成され、下部係止片１１１に沿って設けられているので、下部係止片１１１に代えて、板状の脚部１３３に指を係止させてメディアスタッカ１００を把持することもできる。
【００７４】
さらに、底板１０１の裏面に、脚部１３１，１３２，１３３よりも突出寸法の小さい３つの設置脚１３５，１３６，１３７を周方向へ間隔をあけて形成したので、パブリッシャ１のスタッカ収納部２３へ装着した際に、設置脚１３５，１３６，１３７をスタッカ収納部２３の載置床１４１に当接させて安定した設置状態を得ることができる。
【図面の簡単な説明】
【００７５】
【図１】パブリッシャ（メディア処理装置）の外観斜視図である。
【図２】パブリッシャのケースを外した状態の前方側の斜視図である。
【図３】パブリッシャのケースを外した状態の後方側の斜視図である。
【図４】パブリッシャに設置された記録装置部分の斜視図である。
【図５】パブリッシャの内部概略構成図である。
【図６】メディアスタッカの上部右斜め後方側から視た斜視図である。
【図７】メディアスタッカの上部左側から視た斜視図である。
【図８】メディアスタッカの上部右側から視た斜視図である。
【図９】メディアスタッカの平面図である。
【図１０】メディアスタッカの下部右斜め後方側から視た斜視図である。
【図１１】メディアスタッカの下部左側から視た斜視図である。
【図１２】他の形状の下部係止片を有するメディアスタッカの後方側から視た斜視図である。
【図１３】他の形状の下部係止片を有するメディアスタッカの後方側から視た斜視図である。
【図１４】メディアスタッカの収容円を示す平面図である。
【図１５】メディアスタッカが収容されるスタッカ収納部を示す平面図である。
【符号の説明】
【００７６】
１…パブリッシャ（メディア処理装置）、２１，２２…メディア保持部、２３…スタッカ収納部、１００…メディアスタッカ、１０１…底板、１０２…円筒部、１０３…メディア収容部、１０４，１０５…枠体、１０６，１０７…切欠部、１１０…張り出し部（補強部）、１２１…リブ、１２１ａ…端面、１３１，１３２，１３３…脚部、１３５，１３６，１３７…設置脚、ＭＡ，ＭＢ，ＭＣ，ＭＤ…メディア、Ｏ…中心点。
【図１】
2008097673.tif 000003
【図２】
2008097673.tif 000004
【図３】
2008097673.tif 000005
【図４】
2008097673.tif 000006
【図５】
2008097673.tif 000007
【図６】
2008097673.tif 000008
【図７】
2008097673.tif 000009
【図８】
2008097673.tif 000010
【図９】
2008097673.tif 000011
【図１０】
2008097673.tif 000012
【図１１】
2008097673.tif 000013
【図１２】
2008097673.tif 000014
【図１３】
2008097673.tif 000015
【図１４】
2008097673.tif 000016
【図１５】
2008097673.tif 000017